(57)【要約】【課題】  カードの抜挿に際して、そのカードの側端がカードポケットの内側部に引っ掛かることがなく、円滑な抜挿が可能となり、しかも低コストで製造可能なカードラックの提供。【解決手段】  背面板と、前記背面板の左右側端に開口部を挟んで上下方向に沿って立設された左右側壁の内面に上下方向に穿設された左右前方案内条溝と、左右後方案内条溝とを有するフレーム部材と、前記フレーム部材に対して傾斜して挿着される複数のカード仕切り部材とを備え、前記カード仕切り部材が、左右側面に背面板に向けて突設されたカード逸脱阻止爪部を備えることを特徴とするカードラック。【選択図】      図１
0003110763.tif 000002
【実用新案登録請求の範囲】
【請求項１】
背面板と、前記背面板の左右側端に開口部を挟んで上下方向に沿って立設された左右側壁とを備え、かつ、前記左右側壁の内面に上下方向に設けられた左前方案内条溝および右前方案内条溝と、左後方案内条溝および右後方案内条溝とを有するフレーム部材と、
両側下端に突設され、前記左右の後方案内条溝にそれぞれ嵌挿される左後方嵌挿爪部および右後方嵌挿爪部と、両側上端に突設され、前記左右の前方案内条溝にそれぞれ嵌挿される左前方嵌挿爪部および右前方嵌挿爪部とを有し、前記フレーム部材に対して傾斜して挿着される複数のカード仕切り部材とを備え、
前記フレーム部材と、前記カード仕切り部材との間に形成される空間にカードを遊挿して保持するカードラックであって、
前記カード仕切り部材が、左右側面に背面板に向けて突設されたカード逸脱阻止爪部を備えることを特徴とするカードラック。
【請求項２】
前記カード逸脱阻止爪部は、各カード仕切り部材の左右側面に、前記フレーム部材の左右側壁の内面に沿って延成され、かつ、前記カード仕切り部材を前記フレーム部材に挿着した際に、先端縁部が前記背面板の内面に密接する傾斜面を有することを特徴とする請求項１に記載のカードラック。
【請求項３】
前記複数のカード仕切り部材は、前記フレーム部材に下から順に挿着した際に、各カード仕切り部材が備える前記カード逸脱阻止爪部が、上下方向に積層して前記フレーム部材の前記左右側壁との間の空間を閉塞するように構成されていることを特徴とする請求項１に記載のカードラック。
【請求項４】
前記フレーム部材の上端に嵌着され、前記フレーム部材の上端開口部を閉塞する上蓋部材と、前記フレーム部材の下端に嵌着され、前記フレーム部材の下端開口部を閉塞する下蓋部材とを備えることを特徴とする請求項１〜請求項３のいずれか１項に記載のカードラック。
【考案の詳細な説明】
【技術分野】
【０００１】
本考案は、カードラックに関し、特に、タイムカード、ＩＤカード等のカードの抜き差しを円滑に行うことができるカードラックに関する。
【背景技術】
【０００２】
会社、事業所等の複数の雇用者が勤務する職場においては、各雇用者毎の勤務実態、出退勤日時を簡便に管理するために、出勤時刻、退勤時刻等を記録するタイムカードが利用されている。また、社員証、会員証、身分証明書等の個人識別のためのＩＤカード、さらに、名刺、生産管理用のカード、セキュリティカード、大型飲食店等における顧客の注文を記録した注文票（カード）、診察券、ポイントカード、プリペードカードなどの各種の目的で使用されるカードが知られている。これらのカードは、紙、プラスチック等の各種の材質のものが用いられ、また、データの記録方式においても、エンボスカード、磁気カード、ＩＣカード、メモリーカード等の各種のものがある。そして、これらのカードは、通常、一時保管、整理等のために、カードラックに格納して保持されることがある。このカードラックは、上下に複数段に亘って設けられたカードポケットに各カードが抜挿可能に保持されるように構成されている。例えば、実開平１−１６６５７２号公報には、図８（ａ）、図８（ｂ）および図８（ｃ）に示すように、正面部８１ａおよび左右の側面部８１ｂ，８１ｃを備えたフレーム８１と、フレーム８１の左右の側面部８１ｂ，８１ｃに形成した前方案内溝８３ｂ，８３ｃおよび後方案内溝８４ｂ，８４ｃにそれぞれ入り込む斜片８６および突起８７が形成され、フレーム８１に対し傾斜して挿着される多数枚の仕切板８８とを有するタイムカードラックが知られている。なお、正面部８１ａの内壁に形成された条溝８５ｂ，８５ｃは、カード落下止めのものである。
【０００３】
こうした従来のカードラックにおいて、カード８９が、フレーム８１と、そのフレーム８１に挿着される仕切板８８との間に形成されるカードポケットＰに対して斜めあるいは左右のいずれかに偏って挿入された場合には、カード８９の先端が、フレーム８１の左右の側面部８１ｂ，８１ｃのクサビ溝に挟まってしまうことがあった。例えば、図８（ａ）および図８（ｃ）に示すように、カード８９が、カードポケットＰに対して左側に偏って、しかも斜めに挿入された場合には、カード８９の先端８９ａが、左側の前方案内溝８３ｂと左側の後方案内溝８４ｂとの間の条溝８４ｄ（クサビ溝：図８（ｃ）参照）に挟まり、カード８９の抜き挿しを円滑に行えなくなる虞がある。また、カード８９が、カードポケットＰに対して右側に偏って挿入された場合には、右側の前方案内溝８３ｃと右側の後方案内溝８４ｃとの間の条溝８４ｄ（クサビ溝：図８（ｃ）参照）に挟まり、カード８９の抜き挿しを円滑に行えなくなる虞がある。このような場合、無理に抜挿を行うと、カードを汚損したり、他のカードポケットへのカード８９の抜挿を阻害する虞もあった。また、カードラック自体の破損を招く虞があった。さらに、従来のカードラックは、構成部材であるフレーム８１、仕切板８８等が細かい部品から構成されているため、接着剤で各部品を接着して組み立てる等の工程を経て製造され、コスト的に不利であった。
【考案の開示】
【考案が解決しようとする課題】
【０００４】
そこで、本考案は、カードの抜挿に際して、そのカードの側端がカードポケットの内側部に引っ掛かることがなく、円滑な抜挿が可能となり、しかも低コストで製造可能なカードラックを提供することを目的とする。
【課題を解決するための手段】
【０００５】
前記課題を解決するため、本考案の請求項１に係るカードラックは、背面板と、前記背面板の左右側端に開口部を挟んで上下方向に沿って立設された左右側壁とを備え、かつ、前記左右側壁の内面に上下方向に設けられた左前方案内条溝および右前方案内条溝と、左後方案内条溝および右後方案内条溝とを有するフレーム部材と、両側下端に突設され、前記左右の後方案内条溝にそれぞれ嵌挿される左後方嵌挿爪部および右後方嵌挿爪部と、両側上端に突設され、前記左右の前方案内条溝にそれぞれ嵌挿される左前方嵌挿爪部および右前方嵌挿爪部とを有し、前記フレーム部材に対して傾斜して挿着される複数のカード仕切り部材とを備え、前記フレーム部材と、前記カード仕切り部材との間に形成される空間にカードを遊挿して保持するカードラックであって、前記カード仕切り部材が、左右側面に背面板に向けて突設されたカード逸脱阻止爪部を備えることを特徴とする。
【０００６】
このカードラックは、前記カード仕切り部材が、左右側面に背面板に向けて突設されたカード逸脱阻止爪部を備えることによって、左右側壁の前方案内条溝と後方案内条溝との間に形成される空間が閉塞され、カードの抜挿に際して、そのカードの側端がカードポケットの内側部に引っ掛かることを防止することができる。
【０００７】
本考案において、カードとは、タイムカード、社員証、会員証、身分証明書等の個人識別のためのＩＤカード、さらに、名刺、生産管理用のカード、セキュリティカード、大型飲食店等における顧客の注文を記録した注文票（カード）、診察券、ポイントカード、プリペードカードなどの各種の目的で使用される紙製、プラスチック製の材質のものをいう。これらのカードは、一時保管、整理等のために、カードラックに格納して保持される。
【０００８】
請求項２に係るカードラックは、前記カード逸脱阻止爪部は、各カード仕切り部材の左右側面に、前記フレーム部材の左右側壁の内面に沿って延成され、かつ、前記カード仕切り部材を前記フレーム部材に挿着した際に、先端縁部が前記背面板の内面に密接する傾斜面を有することを特徴とする。
【０００９】
このカードラックでは、前記先端縁部の傾斜面が、前記背面板の内面に密接することによって、左右側壁の前方案内条溝と後方案内条溝との間に形成される空間（クサビ溝）が閉塞され、カードの抜挿に際して、そのカードの側端がカードポケットの内側部に引っ掛かることを防止することができる。
【００１０】
請求項３に係るカードラックは、前記複数のカード仕切り部材は、前記フレーム部材に下から順に挿着した際に、各カード仕切り部材が備える前記カード逸脱阻止爪部が、上下方向に積層して前記フレーム部材の前記左右側壁との間の空間を閉塞するように構成されていることを特徴とする。
【００１１】
このカードラックでは、複数のカード仕切り部材をフレーム部材に下から順に挿着した際に、複数のカード仕切り部材が備える前記カード逸脱阻止爪部が、上下方向に積層して、左右側壁の前方案内条溝と後方案内条溝との間に形成される空間（クサビ溝）が閉塞され、カードの抜挿に際して、そのカードの側端がカードポケットの内側部に引っ掛かることを防止することができる。
【００１２】
請求項４に係るカードラックは、前記フレーム部材の上端に嵌着され、前記フレーム部材の上端開口部を閉塞する上蓋部材と、前記フレーム部材の下端に嵌着され、前記フレーム部材の下端開口部を閉塞する下蓋部材とを備えることを特徴とする。
【００１３】
このカードラックでは、上蓋部材と下蓋部材を、フレーム部材の上端および下端に嵌着することによって、前記フレーム部材の上端開口部と下端開口部とを容易に閉塞することができるため、カードラックの組み立てを簡便に行うことができる。
【考案の効果】
【００１４】
本考案のカードラックは、カードの抜挿に際して、そのカードの側端がカードポケットの内側部に引っ掛かることがなく、円滑な抜挿が可能となる。
【考案を実施するための最良の形態】
【００１５】
次に、本考案の実施形態について、適宜図面を参照しながら詳細に説明する。図１は、本考案の第１の実施形態に係るカードラックの構成部材を示す分解斜視図、図２は、図１の一部を切り欠いて示す斜視図である。なお、本考案において、左および右、上および下の方向、ならびに前とは、カードラックを正面視して左側および右側、上および下の方向、ならびに手前に向かう方向を意味する。
【００１６】
このカードラック１は、フレーム部材２と、カード仕切り部材３と、上蓋部材４と、下蓋部材５とから構成される。なお、図１においては、説明の便宜のために、複数のカード仕切り部材のうちの１枚のカード仕切り部材３のみを図示している。
【００１７】
フレーム部材２は、図１に示すように、背面板２１と、その背面板２１の左右両側に開口部２３を挟んで上下方向に沿って立設された左側壁２２ａおよび右側壁２２ｂとを有し、断面略コ字状の部材である。
【００１８】
背面板２１は、内面に上下方向に沿って穿設された２本の背面条溝２１ａ，２１ｂを有する。また、この背面板２１には、カードラック１を壁面等にねじ等によって取り付けるために、そのねじ等が嵌挿される２つの取り付け孔２１ｃが、背面板２１の上部中央および下部中央を貫通して穿設されている。さらに、背面板２１の上部左右には、背面条溝２１ａ，２１ｂを挟んで２つの上部係合孔２１ｄが穿設され、背面板２１の下部左右には、背面条溝２１ａ，２１ｂを挟んで下部係合孔２１ｅが穿設されている。この上部係合孔２１ｄには、上蓋部材４の下面後方に立設された係合爪４２ａ，４２ｂ（図４参照）が嵌着されて係合される。また、下部係合孔２１ｅには、下蓋部材５の下蓋５０の後方内面に立設された係合爪５０ａ，５０ｂが嵌着されて係合される。
【００１９】
左側壁２２ａは、その内側面からカードラック１の上下方向に沿って突条部２４ａ，２４ｂ，２４ｃが突設され、その突条部２４ａと背面板２１との間に左後方案内条溝２５ａが形成され、突条部２４ｂと突条部２４ｃの間に左前方案内条溝２６ａが形成されている。
【００２０】
また、右側壁２２ｂにも、左側壁２２ａと同様に、その内側面からカードラック１の上下方向に沿って突条部２７ａ，２７ｂ，２７ｃが突設され、その突条部２７ａと背面板２１との間に左後方案内条溝２５ｂが形成され、突条部２７ｂと突条部２７ｃの間に左前方案内条溝２６ｂが形成されている。
【００２１】
また、カード仕切り部材３は、基体３０と、基体３０の下端に設けられた下端嵌挿体３１と、基体３０の左右上端に形成された左爪部３２ａと右爪部３２ｂとを有し、左右側面に背面板２１に向けて突設されたカード逸脱阻止爪部３４を有する。そして、基体３０は、下端嵌挿体３１に上下方向に対して前方に向かって傾斜して配設され、さらに、左爪部３２ａおよび右爪部３２ｂは、基体３０の後方側、すなわち、背面板２１に向かって基体３０の左右上端から立設されている。
【００２２】
下端嵌挿体３１の左右側端には、前記の左後方案内条溝２５ａおよび右後方案内条溝２５ｂにそれぞれ嵌挿される左後方嵌挿爪部３１ａおよび右後方嵌挿爪部３１ｂが設けられている。この左後方嵌挿爪部３１ａおよび右後方嵌挿爪部３１ｂは、前記の左後方案内条溝２５ａおよび右後方案内条溝２５ｂに嵌挿されて上下方向に摺動するように形成されている。また、下端嵌挿体３１の後面には、背面板２１の背面条溝２１ａ，２１ｂに嵌挿される嵌装突起３１ｃ，３１ｄが突設されている。この嵌装突起３１ｃ，３１ｄは、前記の背面条溝２１ａ，２１ｂに嵌挿されて上下方向に摺動するように形成されている。
【００２３】
また、左爪部３２ａおよび右爪部３２ｂには、先端に、前記の左前方案内条溝２６ａおよび右前方案内条溝２６ｂにそれぞれ嵌挿される左前方嵌挿爪部３３ａおよび右前方嵌挿爪部３３ｂが設けられている。この左前方嵌挿爪部３３ａおよび右前方嵌挿爪部３３ｂは、前記の左前方案内条溝２６ａおよび右前方案内条溝２６ｂに嵌挿されて上下方向に摺動するように形成されている。
【００２４】
このカード仕切り部材３をフレーム部材２に挿着する際には、図２に示すように、フレーム部材２の上方から、左後方嵌挿爪部３１ａおよび右後方嵌挿爪部３１ｂを、それぞれ左後方案内条溝２５ａおよび右後方案内条溝２５ｂに嵌挿して下方向に摺動し、さらに、左前方嵌挿爪部３３ａおよび右前方嵌挿爪部３３ｂを、左前方案内条溝２６ａおよび右前方案内条溝２６ｂに嵌挿して下方向に摺動させる。これによって、カード仕切り部材３は、基体３０がフレーム部材２の前方向に前記フレーム部材２に対して傾斜して挿着される。そして、順次、複数のカード仕切り部材３をフレーム部材２に挿着することによって、図３に示すように、挿着された複数のカード仕切り部材３1，３2，３3，・・・・の間に、カードを遊挿するカード保持部３５が形成される。
【００２５】
さらに、カード逸脱阻止爪部３４は、カード仕切り部材３の基体３０の左右側面に背面板２１に向けて突設されている。このカード逸脱阻止爪部３４は、フレーム部材２の左右側壁の内面に沿って延成され、かつ、カード仕切り部材３をフレーム部材２に挿着した際に、図３および図５に示すように、先端縁部に上方のカード仕切り部材３から背面板２１の内面に密接する傾斜面３６を有する。
【００２６】
さらにまた、カード逸脱阻止爪部３４は、図３に示すように、複数のカード仕切り部材３1，３2，３3，・・・・をフレーム部材２に下から順に挿着した際に、各カード仕切り部材３1，３2，３3，・・・・が備えるカード逸脱阻止爪部３４1，３４2，３４3，・・・・が上下方向に積層して、フレーム部材２の前記左側壁２２ａまたは右側壁２２ｂにおける空間を閉塞してカードの先端が入らないように構成されている。すなわち、各カード仕切り部材３1，３2，３3，・・・・が備えるカード逸脱阻止爪部３４1，３４2，３４3，・・・・は、それぞれ上下方向の位置をずらして配設されている。すなわち、複数のカード仕切り部材３1，３2，３3，・・・・をフレーム部材２に下から順に挿着したときに、カード逸脱阻止爪部３４1，３４2，３４3，・・・・が、（ｎ−１）番目のカード仕切り部材３ｎ−１のカード逸脱阻止爪部３４ｎ−１と、ｎ番目のカード仕切り部材３ｎのカード逸脱阻止爪部３４ｎと、（ｎ＋１）番目のカード仕切り部材３ｎ＋１のカード逸脱阻止爪部３４ｎ＋１とが、上下に積み重なって、上下方向の各カード逸脱阻止爪部の間に隙間が形成されないように、各カード仕切り部材３の左右側面に設けられている。これによって、突条部２４ａと突条部２４ｂの間の条溝３７ａ、および突条部２７ａと突条部２７ｂの間の条溝３７ｂが閉塞され、上下に挿着された複数のカード仕切り部材３の側面に隙間が形成されず、後記のように、カードが、カード保持部３５に斜めあるいは左右のいずれかに偏って挿入された場合にも、カードの先端がフレーム部材２の側面、例えば、突条部２４ａと突条部２４ｂの間の条溝（クサビ溝）３７ａ、または、突条部２７ａと突条部２７ｂの間の条溝（クサビ溝）３７ｂに挟まることがない。
【００２７】
上蓋部材４は、フレーム部材２の開口部２３の上端に嵌着されるものであり、図４に示すように、上蓋４０の左右下面に、突条部２４ａと突条部２４ｂの間の条溝３７ａに嵌装される左嵌合部４１ａと、突条部２７ａと突条部２７ｂの間の条溝３７ｂに嵌装される右嵌合部４１ｂとが突設されている。また、上蓋４０の後方の左右下面には、フレーム部材２の背面板２１に穿設された２つの上部係合孔２１ｄ，２１ｄにそれぞれ嵌装される嵌着爪４２ａ，４２ｂが突設され、さらに、上蓋４０の前端には、前方に向けて延設された庇部４３とを有する。
【００２８】
また、下蓋部材５は、再び、図１に示すように、下蓋５０と、その下蓋５０の上面に立設された前方蓋部材５１とを有する。前方蓋部材５１の左右の側壁５２ａ，５２ｂには、上下方向に沿って、前記フレーム部材２の左側壁２２ａおよび右側壁２２ｂに設けられた左前方案内条溝２６ａおよび右前方案内条溝２６ｂにそれぞれ嵌挿される左嵌着突条部５３ａおよび右嵌着突条部５３ｂが突設されている。そして、前方蓋部材５１は、図３に示すように、各カード保持部３５に収納されたカードを回収して、一旦、回収した複数のカードを保持する袋状のカード保持部３５ａを構成するように前方に向けて膨出して形成されている。また、前方蓋部材５１の下部中央には、前記背面板２１の下部に穿設された取り付け孔２１ｃを前方から臨めるように開口された下部開口部５１ａが設けられる。この下部開口部５１ａは、組み立てたカードラック１を壁面等に取り付ける際に、ねじ等を取り付け孔２１ｃに嵌着するためのドライバー等の冶具の挿通孔の役割を有する。
【００２９】
この前方蓋部材５１の左嵌着突条部５３ａおよび右嵌着突条部５３ｂの先端には、背面板２１に向かって、前記カード逸脱阻止爪部３４と同様のカード阻止部を設けてもよい。これによって、袋状のカード保持部３５ａに、カードが斜めあるいは左右のいずれかに偏って挿入された場合にも、カードの先端がフレーム部材２の側面、例えば、突条部２４ａと突条部２４ｂの間の条溝３７ａ、または、突条部２７ａと突条部２７ｂの間の条溝３７ｂに挟まることがないようにすることができる。
【００３０】
このカードラック１の組み立ては、以下のようにして行うことができる。
まず、図３に示すように、下蓋部材５をフレーム部材２の下端に嵌着する。このとき、左嵌着突条部５３ａおよび右嵌着突条部５３ｂが、前記フレーム部材２の左右側壁２２ａ，２２ｂに設けられた左前方案内条溝２６ａおよび右前方案内条溝２６ｂに、それぞれ嵌挿される。これによって、袋状のカード保持部３５ａが、フレーム部材２の最下段に形成される。
【００３１】
次に、カード仕切り部材３を順次、フレーム部材２に挿着する。このとき、フレーム部材２の上方から、左後方嵌挿爪部３１ａおよび右後方嵌挿爪部３１ｂを、それぞれ左後方案内条溝２５ａおよび右後方案内条溝２５ｂに嵌挿して下方向に摺動し、左前方嵌挿爪部３３ａおよび右前方嵌挿爪部３３ｂを、左前方案内条溝２６ａおよび右前方案内条溝２６ｂに嵌挿し、さらに、下端嵌挿体３１の後面に突設された嵌装突起３１ｃ，３１ｄを、背面板２１の背面条溝２１ａ，２１ｂに嵌挿して、カード仕切り部材３を下方向に摺動させる。これによって、カード仕切り部材３は、基体３０がフレーム部材２の前方向に前記フレーム部材２に対して傾斜して挿着される。そして、同様にして、順次、複数のカード仕切り部材３をフレーム部材２に挿着することによって、カードを遊挿するカード保持部３５が、複数段形成される。
【００３２】
最後に、上蓋部材４をフレーム部材２の上端に嵌着する。このとき、左嵌合部４１ａと、右嵌合部４１ｂとが、フレーム部材２の左右側壁２２ａ，２２ｂに形成された、突条部２４ａと突条部２４ｂの間の条溝３７ａ、および突条部２７ａと突条部２７ｂの間の条溝３７ｂに嵌装される。同時に、係合爪４２ａ，４２ｂが、フレーム部材２の背面板２１の２つの上部係合孔２１ｄに嵌着される。これによって、フレーム部材２の開口部２３の上端が閉塞される。
【００３３】
このように組み立てられたカードラック１において、図５（ｃ）に示すように、複数のカード仕切り部材３1，３2，３3，・・・・が備えるカード逸脱阻止爪部３４1，３４2，３４3，・・・・が上下方向に積層して、フレーム部材２の前記左側壁２２ａまたは右側壁２２ｂとの間の空間が閉塞される。すなわち、突条部２４ａと突条部２４ｂの間の条溝３７ａ、および突条部２７ａと突条部２７ｂの間の条溝３７ｂが閉塞され、上下に挿着された複数のカード仕切り部材３の側面に隙間が形成されず、図５（ａ）または図５（ｂ）に示すように、カードＴＣが、カード保持部３５に斜めあるいは左右のいずれかに偏って挿入された場合にも、カードの先端がカード逸脱阻止爪部３４に阻止されて、フレーム部材２の側面、例えば、突条部２４ａと突条部２４ｂの間の条溝３７ａ、または、突条部２７ａと突条部２７ｂの間の条溝３７ｂに挟まることがない。また、カード仕切り部材３の下端嵌挿体３１の後面に突設された嵌装突起３１ｃ，３１ｄが、背面板２１の背面条溝２１ａ，２１ｂに嵌挿されることによって、カード仕切り部材３の下端嵌挿体３１と背面板２１の内面との間を、カードＴＣが通過して下方に落下することなく、カード保持部３５に保持される。
【００３４】
次に、本考案の第２の実施形態に係るカードラックについて図６および図７を参照して説明する。
図６は本考案の第２の実施形態に係るカードラックの分解斜視図、図７は全体の構成を示す斜視図である。
【００３５】
図６に示すカードラック６は、前記第１の実施形態に係るカードラック１を横方向に２列配列した構成を有するものである。このカードラック６は、フレーム部材６２と、複数のカード仕切り部材６３と、上蓋部材６４と、下蓋部材６５とから構成される。そして、カード仕切り部材６３および下蓋部材６５は、前記第１の実施形態におけるカード仕切り部材３および下蓋部材５と同様のものであるので、重複する説明は省略する。したがって、以下の説明においては、主としてフレーム部材６２および上蓋部材６４について説明する。
【００３６】
このカードラック６のフレーム部材６２は、図６に示すように、背面板６１と、その背面板６１の左右両側に上下方向に沿って立設された左側壁６２ａおよび右側壁６２ｂとを有し、背面板６１の中央に上下方向に沿って立設された中央側壁６２ｃとを有し、左側壁６２ａと中央側壁６２ｃとの間に左開口部６６ａ、右側壁６２ｂと中央側壁６２ｃの間に右開口部６６ｂが開口された形状の部材である。
【００３７】
なお、図６においては、説明の便宜のために、複数のカード仕切り部材のうちの２枚のカード仕切り部材６３を図示している。
【００３８】
背面板６１は、内面に上下方向に沿って穿設された４本の背面条溝６１ａ，６１ｂ，６１ｃ，６１ｄを有する。また、この背面板６１には、カードラック６を壁面等に設置するために、上部および下部を貫通する取り付け孔６１ｅ，６１ｆが穿設されている。
【００３９】
左側壁６２ａには、前記第１の実施形態と同様に、その内側面からカードラック６の上下方向に沿って突条部６４ａ，６４ｂ，６４ｃが突設され、その突条部６４ａと背面板６１との間に左後方案内条溝６７ａが形成され、突条部６４ｂと突条部６４ｃの間に左前方案内条溝６７ｂが形成されている。
【００４０】
そして、中央側壁６２ｃの左側壁には、カードラック６の上下方向に沿って突条部６９ａ，６９ｂ，６９ｃが突設され、その突条部６９ａと背面板６１との間に右後方案内条溝７０ａが形成され、突条部６９ｂと突条部６９ｃの間に左前方案内条溝７０ｂが形成されている。
【００４１】
また、中央側壁６２ｃの右側壁にも、カードラック６の上下方向に沿って突設された突条部６４ａ，６４ｂ，６４ｃによって左後方案内条溝６７ａおよび左前方案内条溝６７ｂが形成され、さらに、右側壁６２ｂにも、カードラック６の上下方向に沿って突設された突条部６９ａ，６９ｂ，６９ｃによって右後方案内条溝７０ａおよび右前方案内条溝７０ｂが形成されている。
【００４２】
一方、上蓋部材６４は、前記第１の実施形態における上蓋部材４と同様に、左側壁６２ａの突条部６４ａと突条部６４ｂとの間の条溝７１ａ、中央側壁の左側壁の突条部６７ａと突条部６７ｂとの間の条溝７１ｂ、同じく、中央側壁の右側壁に形成された条溝７１ａと右側壁６２ｂに形成された条溝７１ｂにそれぞれ嵌装する４つの嵌合部７２を下面に有する。また、上蓋部材６４と前蓋部材６５は、フレーム部材６２の背面板６１に穿設された２つの上部係合孔７３ａ，７３ｂおよび２つの下部係合孔７４ａ，７４ｂにそれぞれ嵌装される嵌着爪（図示せず）を有する。
【００４３】
この第２の実施形態に係るカードラック６の組み立ては、前記第１の実施形態と同様に行うことができる。すなわち、下蓋部材６５をフレーム部材６２の下端に嵌着する。次に、複数のカード仕切り部材６３を順次、フレーム部材６２に挿着することによって、カードを遊挿する複数段のカード保持部が、左右に２列形成される。最後に、上蓋部材６４をフレーム部材２の上端に嵌着する。これによって、フレーム部材６２の開口部６６ａ，６６ｂの上端が閉塞され、図７に示すカードラック６が構成される。
【００４４】
この第２の実施形態に係るカードラック６においても、前記第１の実施形態に係るカードラック１と同様に、カードが、カード保持部７５に斜めあるいは左右のいずれかに偏って挿入された場合にも、カードの先端が各カード逸脱阻止爪部７７に阻止されて、フレーム部材６２の側面、例えば、条溝７１ａまたは７１ｂに挟まることがない。
【００４５】
前記第１の実施形態および第２の実施形態に係るカードラックにおいて、フレーム部材、カード仕切り部材、下蓋部材および上蓋部材は、単純な構造で一体成形できる構造のものである。フレーム部材が押出成形で製造することができるとともに、カード仕切り部材、上蓋部材、下蓋部材も、射出成形等の汎用の成形方法で一体成形できるものであるため、製造コストの削減を図ることができる。
【００４６】
以上、本考案の第１の実施形態および第２の実施形態について説明したが、本考案は、これらの実施形態に限定されず、各種の態様を採用することができる。例えば、第２の実施形態のように、２列のカード保持部７５を形成するものに限定されず、所要の列数のカード保持部７５を形成するものとしてもよい。
【００４７】
また、１枚のフレーム部材に挿着されるカード仕切り部材の総数も、特に限定されず、遊挿するカードの枚数に応じて、所要のカード仕切り部材を挿着できるフレーム部材２の上下方向の長さを選択することができる。さらに、第１の実施形態の１列のカードラックを、増設の必要が生じたときに、複数連結して複数列のカードラックを構成できるようにしてもよい。
【００４８】
さらに、カード逸脱阻止爪部の形状は、前記第１の実施形態および第２の実施形態に示す板状の形状に限定されない。
【図面の簡単な説明】
【００４９】
【図１】本考案の第１の実施形態に係るカードラックの分解斜視図である。
【図２】カード仕切り部材とフレーム部材とを示す分解斜視図である。
【図３】複数のカード仕切り部材をフレーム部材に挿着した状態を一部を切り欠いて示す斜視図である。
【図４】上蓋部材とフレーム部材とを示す分解斜視図である。
【図５】（ａ）、（ｂ）および（ｃ）は、第１の実施形態に係るカードラックにカードを遊挿したときの状態を説明する正面図、横断面図および縦断面図である。
【図６】本考案の第２の実施形態に係るカードラックを示す分解斜視図である。
【図７】第２の実施形態に係るカードラックの全体構成を示す斜視図である。
【図８】（ａ）は従来のカードラックの正面図、（ｂ）はその縦断面図、（ｃ）はその横断面図を示す
【符号の説明】
【００５０】
１      カードラック
２      フレーム部材
３      カード仕切り部材
４      上蓋部材
５      下蓋部材
２１    背面板
２２ａ  左側壁
２２ｂ  右側壁
２５ａ  左後方案内条溝
２５ｂ  右後方案内条溝
２６ａ  左前方案内条溝
２６ｂ  右前方案内条溝
３１    下端嵌挿体
３４    カード逸脱阻止爪部
３４ａ  カード逸脱阻止爪部
３４ｎ  カード逸脱阻止爪部
５１    前方蓋部材
ＴＣ    カード
【図１】
0003110763.tif 000003
【図２】
0003110763.tif 000004
【図３】
0003110763.tif 000005
【図４】
0003110763.tif 000006
【図５】
0003110763.tif 000007
【図６】
0003110763.tif 000008
【図７】
0003110763.tif 000009
【図８】
0003110763.tif 000010